(57)【要約】【課題】簡単な構造で安価であり、また発炎筒使用後の後片付けが不要であり、かつ折り畳むことのできる支持台を備えた発炎筒を提供。【解決手段】発炎筒本体４の下端に、空隙部２を有し、かつ各内側面に凸部を有する中空四角柱の各外側辺に、発炎筒本体４の外径の１倍〜５倍の範囲の帯状突起部２を有する、紙、プラスチック等の可燃性材料で作製された折り畳み可能な構造の筒状支持台１を狭入させた発炎筒である。路面に立てた場合、発炎筒を転倒させることなく、確実に燃焼させることができる。【選択図】　　図１
2004132675.tif 000002
【特許請求の範囲】
【請求項１】
発炎筒本体の下端に、中空四角柱の各外側辺に帯状突起部を有する筒状支持台が狭入されてなることを特徴とする発炎筒。
【請求項２】
帯状突起部の長さが、発炎筒本体の外径の１倍〜５倍の範囲であることを特徴とする請求項１に記載の発炎筒。
【請求項３】
帯状突起部の長さが、発炎筒本体の外径の２倍〜４倍の範囲であることを特徴とする請求項１に記載の発炎筒。
【請求項４】
筒状支持台が、折り畳み可能な構造であることを特徴とする請求項１から請求項３のいずれか１項に記載の発炎筒。
【請求項５】
筒状支持台が、中空四角柱の各内側面に凸部を有することを特徴とする請求項１から請求項４のいずれか１項に記載の発炎筒。
【発明の詳細な説明】
【０００１】
【発明の属する技術分野】
本発明は、高速道路等の交通規制のための非常信号として用いられる発炎筒を用いる際、発炎筒を路面等に立てた状態で設置し発炎させるための支持台を備えた発炎筒に関する。
【０００２】
【従来の技術】
従来、交通事故、車両故障等の緊急時や、道路整備のために行う作業時に、通行車両の進入、衝突を防止するとともに、作業者の安全を確保するための交通規制用の非常信号として、発炎筒が用いられている。
【０００３】
一般に、発炎筒は、発炎筒本体頂部の発火薬を摺付薬紙で摺って点火させた後、路面等に載置されるが、状況に応じ、そのまま横に置いたり、支持台を用いて路面等に立てたりして用いられる。
【０００４】
発炎筒を横に置いた場合には、発炎筒の炎の熱により、路面を損傷する恐れがあり、これを防止するために、信号炎管の発炎体の外側を摺動し得る上部リングとこれに連なる肉薄部を有する３個以上の短冊状支持片及び下部リングよりなる筒状体と、発炎体下部に固着されたストップリングよりなり、炎管燃焼の際は、引出して手持ち用把手ともなり、また支持片を屈曲させて支持脚とし、地上等に設置する際の支持器となり、平常は発炎体の外部に冠せられてこれと一体となり、携帯に便なる信号炎管支持器が提案されている（例えば、特許文献１参照。）。
【０００５】
上記支持器は、信号炎管本体、ストップリング及び支持器からなり、構成部材が多く、また、組み立ての際の作業性に課題が残されていた。
【０００６】
また、可燃性材料を用いた、頭部部材、支柱部材、横梁部材及び底部部材からなり、各連結部を折り曲げることができる多角形の筒を呈する、発炎筒を有効かつ安全に使用するための、手持把手及び支持台を兼用する器具に、発炎筒を通し取り付けることが知られている（例えば、特許文献２参照。）。
【０００７】
上記の器具は、頭部部材、支柱部材、横梁部材及び底部部材を各々連結させる複雑な構造であり、コスト高となってしまうという問題が残されていた。
【０００８】
構造が簡単で、かつ安価であり、また発炎筒使用後の後片付け不要の、発炎筒の支持台を備えた発炎筒が要望されていた。
【０００９】
【特許文献１】
実公昭４０−２０３４７号公報（第１〜２頁）
【特許文献２】
特開平７―１８７８７０号公報（第１〜２頁）
【００１０】
【発明が解決しようとする課題】
本発明の目的は、構造が簡単で安価であり、また発炎筒使用後の後片付け不要であり、かつ折り畳み可能な支持台を備えた発炎筒を提供することである。
【００１１】
【課題を解決するための手段】
本発明者らは、鋭意検討した結果、中空四角柱の各外側辺に帯状突起部を設けた、折り畳み可能な構造の筒状支持台を発炎筒に狭入させることにより、上記課題を解決し得ることを見出し、本発明を完成するに至った。
【００１２】
すなわち、本発明の請求項１に記載の発炎筒は、発炎筒本体の下端に、中空四角柱の各外側辺に帯状突起部を有する筒状支持台が狭入されてなることを特徴とするものである。
【００１３】
本発明の請求項２に記載の発炎筒は、請求項１に記載の発明において、帯状突起部の長さが、発炎筒本体の外径の１倍〜５倍の範囲であることを特徴とするものである。
【００１４】
本発明の請求項３に記載の発炎筒は、請求項１に記載の発明において、帯状突起部の長さが、発炎筒本体の外径の２倍〜４倍の範囲であることを特徴とするものである。
【００１５】
本発明の請求項４に記載の発炎筒は、請求項１から請求項３のいずれか１項に記載の発明の筒状支持台が、折り畳み可能な構造であることを特徴とするものである。
【００１６】
本発明の請求項５に記載の発炎筒は、請求項１から請求項４のいずれか１項に記載の発明において、筒状支持台が、中空四角柱の各内側面に凸部を有することを特徴とするものである。
【００１７】
本発明を、図面を参照して、以下、詳細に説明する。
【００１８】
図１は、本発明の発炎筒の一実施態様を示す斜め上方斜視図であり、頂部に発火薬５を有する発炎筒本体４下端に、内部に空隙部２を有する中空四角柱の各外側辺に帯状突起部３を有する筒状支持台１を狭入させたものである。
【００１９】
図２は、図１で用いられる筒状支持台１の平面図であり、図中、内部に空隙部２を有する中空四角柱は、各外側辺に帯状突起部３を有し、また各内側面に凸部６を有している。
【００２０】
図３は、図１で用いられる筒状支持台１を折り畳んだ状態を示す斜め上方斜視図である。
【００２１】
図４〜図６は、本発明の他の実施態様を示す斜め上方斜視図である。
【００２２】
図１に示すように、本発明の発炎筒は、頂部に発火薬５を有する発炎筒本体４の下端に、内部に空隙部２を有する中空四角柱の各外側辺に帯状突起部３を有する筒状支持台１を狭入させたものである。
【００２３】
本発明に用いられる筒状支持台１は、４枚の板状体からなり、板状体の一端の外面を、他方の板状体の内面の所定の位置に、各々貼り合わせて作製される。
【００２４】
本発明に用いられる筒状支持台１としては、紙、プラスチック、木材等の可燃性材料があげられる。紙、プラスチックの薄板は、発炎筒の燃焼と共に燃えてしまうため、後片付けの必要がなく好ましい。
【００２５】
本発明に用いられる筒状支持台１の中空四角柱は、該四角柱内部に、発炎筒本体４を狭入できる空隙部２を有しており、挟入された発炎筒本体４が抜け落ちることなく保持することができる。
【００２６】
また、図２に示すように、中空四角柱部の各内側面に、凸部６を設けることにより、発炎筒本体４を、より確実に保持することができる。
【００２７】
該凸部は、可燃性材料製で、断面が半円、円錐、角錐または台形の部材を、接着させるか、あるいは筒状支持台の中空四角柱の外部よりプレス加工を施して作製される。
【００２８】
中空四角柱部の各外側辺に設けられた帯状突起部３は、発炎筒を路面等に立てて載置した時、地面への支持となり、発炎筒の転倒を防止する作用を有する。
【００２９】
上記帯状突起部３の長さは、発炎筒本体４の外径の１倍〜５倍、好ましくは２倍〜４倍の範囲である。帯状突起部３の長さが、発炎筒本体４の外径未満の場合、地面への支持が不十分で発炎筒が横転しやすく不都合であり、また、５倍超の場合、嵩高となり、持ち運びに不便であり不都合である。
【００３０】
また、上記帯状突起部３の高さは、発炎筒本体４を立てた状態で保持でき、かつ横風により横転しないことを考慮すると、通常、発炎筒本体４の外径の１倍〜２倍程度の高さである。
【００３１】
図３は、図１に用いられる筒状支持台１を折り畳んだ様子を示す斜め上方斜視図である。図３に示すように、筒状支持台１は、コンパクトに収納でき、持ち運びに便利である。
【００３２】
図４〜図６に、本発明の発炎筒の他の実施態様を示す。
【００３３】
図４に示された筒状支持台１は、中空四角柱部の高さが帯状突起部３の高さより高くなっており、発炎筒本体４をより確実に保持することができる。
【００３４】
図５に示された筒状支持台１は、４枚の板状体の両端を各々貼り合わせ、空隙部２を有する中空四角柱部を形成させたものである。
【００３５】
図６に示された筒状支持台１は、４枚の板状体を井桁状に組み合わせたものであり、空隙部２を有する中空四角柱部の外側辺に、各々の２枚の帯状突起部３が設けられている。
【００３６】
本発明の発炎筒は、発炎筒本体の下端に、中空四角柱の各外側辺に帯状突起部を有する筒状支持台の空隙部に挟入された構造であり、発炎筒本体は、筒状支持台に保持されており、抜け落ちることがない。また、中空四角柱の各内側面に設けられた凸部により、発炎筒本体は、より確実に保持される。
【００３７】
本発明の発炎筒に挟入された筒状支持台の中空四角柱部の各外側辺に設けられた帯状突起部により、発炎筒を路面に立てた場合、発炎筒を転倒させることなく、確実に燃焼させることができる。
【００３８】
また、該筒状支持台は、折り畳むことができ、コンパクトに収納でき、持ち運びに便利であり、かつ紙、プラスチックの可燃性材料であり、発炎筒の燃焼と共に燃えてしまうため、後始末が不要である
【００３９】
【発明の実施の形態】
以下、本発明の実施の形態を実施例に基き、図１を参照して説明する。なお、本発明は、実施例によりなんら限定されない。
【００４０】
実施例
まず、４枚の紙製の長方形板状体（縦３ｃｍ×横１２ｃｍ×厚さ１ｍｍ）を用意し、１端から約２．８ｃｍの部分を直角に折り曲げた長方形板状体の外側面を、他の板状体の内側面に各々貼り合わせて、内径が縦横３ｃｍの空隙部２を有する中空四角柱部及び帯状突起部３の長さが約６ｃｍの筒状体を作製した。ついで、該中空四角柱部の各内側面に、半径１ｍｍのプラスチック製半円球凸部６を接着させて、図２に示すような筒状支持台１を作製した。
【００４１】
発炎筒本体（外径３ｃｍ×長さ２５ｃｍ、質量２５０ｇ）４を、前記筒状支持台１に狭入させて、図１に示す発炎筒を完成した。
【００４２】
発炎筒を水平な地面に立てて、風速１５ｍ／ｓの横風を当てたが、発炎筒は、転倒することなく安定に保持された。また、発炎筒を着火させて燃焼させたところ、筒状支持台は、発炎筒と共に燃焼してしまい、後片付けは不要であった。
【００４３】
比較例
水平な地面に立てた発炎筒本体（外径３ｃｍ×長さ２５ｃｍ、質量２５０ｇ）は、風速５ｍ／ｓの横風で転倒してしまった。
【００４４】
【発明の効果】
本発明の発炎筒は、発炎筒本体の下端に、中空四角柱の各外側辺に帯状突起部を有する筒状支持台の空隙部に挟入された構造であり、発炎筒本体は、筒状支持台に保持されており、抜け落ちることがない。また、中空四角柱の各内側面に設けられた凸部により、発炎筒本体は、より確実に保持される。
【００４５】
本発明の発炎筒に挟入された筒状支持台の中空四角柱部の各外側辺に設けられた帯状突起部により、発炎筒を路面に立てた場合、発炎筒を転倒させることなく、確実に燃焼させることができる。
【００４６】
また、該筒状支持台は、折り畳むことができ、コンパクトに収納でき、持ち運びに便利であり、かつ紙、プラスチックの可燃性材料であり、発炎筒の燃焼と共に燃えてしまうため、後始末が不要である
【図面の簡単な説明】
【図１】本発明の発炎筒の一実施態様を示す斜め上方斜視図である。
【図２】図１に示す筒状支持台１の平面図である。
【図３】図１に示す筒状支持台１を折り畳んだ状態を示す斜め上方斜視図である。
【図４】本発明の発炎筒の他の実施態様を示す斜め上方斜視図である。
【図５】本発明の発炎筒の他の実施態様を示す斜め上方斜視図である。
【図６】本発明の発炎筒の他の実施態様を示す斜め上方斜視図である。
【符号の説明】
１　　筒状支持台
２　　空隙部
３　　帯状突起部
４　　発炎筒本体
５　　発火薬
６　　凸部
【図１】
2004132675.tif 000003
【図２】
2004132675.tif 000004
【図３】
2004132675.tif 000005
【図４】
2004132675.tif 000006
【図５】
2004132675.tif 000007
【図６】
2004132675.tif 000008